(57)【要約】【課題】効率的に帯域を割り当てる通信装置を提供する。【解決手段】通信装置は、複数の第２の通信装置から受信するサービス毎の帯域割り当て要求に含まれる要求条件に基づき各サービスをクラスに分類し、要求条件に含まれる要求帯域に基づき、第１の領域をクラスそれぞれに対応するサブ領域に分割する分割手段と、第２の通信装置から受信する要求帯域に基づき、各サブ領域において当該第２の通信装置が使用するリソースを、サブ領域のリソースの割り当て順序に従い連続して割り当てる割り当て手段と、割り当て手段が割り当てた第２の通信装置が使用するリソースを、当該第２の通信装置に通知する通知手段と、を備えており、通知手段は、第２の通信装置がサブ領域において使用するリソースを、割り当て順序に従い連続して当該第２の通信装置に割り当てたリソースの最初のリソースと、最後のリソースを通知することにより通知する。【選択図】図３
2014187655.tif 000002
【特許請求の範囲】
【請求項１】
第１の通信装置が、複数の第２の通信装置と通信し、前記複数の第２の通信装置から前記第１の通信装置への方向である上り方向においては直交周波数分割多元接続を使用する通信システムにおける前記第１の通信装置であって、
前記上り方向のフレームは、サブキャリアの番号及び時間シンボル位置の組み合わせで特定される複数のリソースを含み、かつ、連続するサブキャリアで構成される第１の領域と、前記複数の第２の通信装置が前記第１の通信装置に送信するサービス毎の帯域割り当て要求を搬送するためのサブキャリアで構成される第２の領域を含み、
前記第１の通信装置は、
前記複数の第２の通信装置から受信する前記サービス毎の帯域割り当て要求に含まれる要求条件に基づき各サービスを、Ｎ個、ここでＮは２以上の整数、のサービスクラスに分類し、前記要求条件に含まれる要求帯域に基づき、前記第１の領域を（Ｎ−１）個の時間シンボル位置で分割することで、前記第１の領域をＮ個のサービスクラスそれぞれに対応するＮ個のサブ領域に分割する分割手段と、
前記第２の通信装置から受信する前記要求帯域に基づき、各サブ領域において当該第２の通信装置が使用するリソースを、サブ領域のリソースの割り当て順序に従い連続して割り当てる割り当て手段と、
前記割り当て手段が割り当てた第２の通信装置が使用するリソースを、当該第２の通信装置に通知する通知手段と、
を備えており、
前記通知手段は、第２の通信装置がサブ領域において使用するリソースを、前記割り当て順序に従い連続して当該第２の通信装置に割り当てたリソースの最初のリソースと、最後のリソースを通知することにより通知することを特徴とする第１の通信装置。
【請求項２】
前記サブ領域のリソースの割り当て順序において、第１の時間シンボル位置のリソースの割り当て順序は、前記第１の時間シンボル位置の次の第２の時間シンボル位置のリソースの割り当て順序より早いことを特徴とする請求項１に記載の第１の通信装置。
【請求項３】
前記サブ領域のリソースの割り当て順序において、同じ時間シンボル位置内のリソースの割り当て順序は、サブキャリアの番号の降順又は昇順であることを特徴とする請求項２に記載の第１の通信装置。
【請求項４】
前記分割手段は、第２の通信装置から受信する要求条件に最低保証帯域が含まれるか否かに従い、各サービスを最低保証帯域の保証がある優先サービスクラスと、帯域の保証がない非優先サービスクラスに分類し、前記優先サービスクラスのサービスの最低保証帯域を保証する様に前記第１の領域をサブ領域に分割し、
前記割り当て手段は、少なくとも前記優先サービスクラスのサービスの最低保証帯域に相当するリソースを前記第２の通信装置に割り当てることを特徴とする請求項１から３のいずれか１項に記載の第１の通信装置。
【請求項５】
前記優先サービスクラスに対応するサブ領域は、前記非優先サービスクラスに対応するサブ領域より早い時間シンボル位置に設けられることを特徴とする請求項４に記載の第１の通信装置。
【請求項６】
前記分割手段は、第２の通信装置から受信する要求条件にジッタ又は遅延の許容量が含まれるか否かに従い、前記優先サービスクラスに属するサービスを、ジッタ又は遅延の許容量が設定された第１の優先サービスクラスと、ジッタ又は遅延の許容量の設定のない第２の優先サービスクラスに分類し、
前記第１の優先サービスクラスに対応するサブ領域は、前記第２の優先サービスクラスに対応するサブ領域より早い時間シンボル位置に設けられることを特徴とする請求項４又は５に記載の第１の通信装置。
【請求項７】
前記分割手段は、第２の通信装置から受信する要求条件に含まれるジッタ又は遅延の許容量が閾値以上であるサービスを前記第１の優先サービスクラスに分類し、前記ジッタ又は遅延の許容量が閾値未満であるサービスを第３の優先サービスクラスに分類し、前記上り方向のフレームの前記第２の領域を除く領域のサブキャリアから前記第３の優先サービスクラスに属するサービスのためのサブキャリアを決定して第３の領域とし、前記上りフレームの前記第２の領域及び前記第３の領域以外の領域を前記第１の領域とすることを特徴とする請求項６に記載の第１の通信装置。
【請求項８】
前記割り当て手段は、前記第３の領域の１つのサブキャリアを１つの第２の通信装置に割り当てることを特徴とする請求項７に記載の第１の通信装置。
【請求項９】
前記割り当て手段は、前記第３の領域の１つのサブキャリアの複数の時間シンボル位置を、それぞれ、複数の第２の通信装置に割り当てることを特徴とする請求項７に記載の第１の通信装置。
【請求項１０】
前記分割手段は、第２の通信装置から受信する要求条件にジッタ又は遅延の許容量と、データ転送周期が含まれているサービスを第４の優先サービスクラスに分類し、第２の通信装置から受信する要求条件にジッタ又は遅延の許容量が含まれるが、データ転送周期が含まれていないサービスを前記第１の優先サービスクラスに分類し、前記上り方向のフレームの前記第２の領域を除く領域のサブキャリアから前記第４の優先サービスクラスに属するサービスのためのサブキャリアを決定して第４の領域とし、前記上りフレームの前記第２の領域及び前記第４の領域以外の領域を前記第１の領域とすることを特徴とする請求項６に記載の第１の通信装置。
【請求項１１】
前記割り当て手段は、前記データ転送周期と、前記ジッタ又は遅延の許容量に従い、前記第４の領域の１つのサブキャリアを複数の第２の通信装置に割り当てることを特徴とする請求項１０に記載の第１の通信装置。
【請求項１２】
前記分割手段は、第２の通信装置から受信する要求条件にジッタ又は遅延の許容量と、データ転送周期が含まれているサービスを第４の優先サービスクラスに分類し、第２の通信装置から受信する要求条件にジッタ又は遅延の許容量が含まれるが、データ転送周期が含まれていないサービスについては、さらに、前記ジッタ又は遅延の許容量が閾値以上であるものを前記第１の優先サービスクラスに、前記ジッタ又は遅延の許容量が閾値未満であるものを第３の優先サービスクラスに分類し、前記上り方向のフレームの前記第２の領域を除く領域のサブキャリアから、前記第３の優先サービスクラス及び前記第４の優先サービスクラスに属するサービスのためのサブキャリアを決定して、それぞれ、第３の領域及び第４の領域とし、前記上りフレームの前記第２の領域、前記第３の領域及び前記第４の領域以外の領域を前記第１の領域とすることを特徴とする請求項６に記載の第１の通信装置。
【請求項１３】
前記第３の領域は、前記上りフレームの前記第２の領域以外の領域の一方の端のサブキャリアから連続したサブキャリアを含む領域であり、
前記第４の領域は、前記上りフレームの前記第２の領域以外の領域の前記一方の端とは異なる側の端のサブキャリアから連続したサブキャリアを含む領域であることを特徴とする請求項１２に記載の第１の通信装置。
【請求項１４】
第１の通信装置が、複数の第２の通信装置と通信し、前記複数の第２の通信装置から前記第１の通信装置への方向である上り方向においては直交周波数分割多元接続を使用する通信システムにおいて、前記第１の通信装置が第２の通信装置に帯域を割り当てる方法であって、
前記上り方向のフレームは、サブキャリアの番号及び時間シンボル位置の組み合わせで特定される複数のリソースを含み、かつ、連続するサブキャリアで構成される第１の領域と、前記複数の第２の通信装置が前記第１の通信装置に送信するサービス毎の帯域割り当て要求を搬送するためのサブキャリアで構成される第２の領域を含み、
前記第１の通信装置が、前記複数の第２の通信装置より、サービス毎の帯域割り当て要求を受信するステップと、
前記第１の通信装置が、前記帯域割り当て要求に含まれる要求条件に基づき各サービスを、Ｎ個、ここでＮは２以上の整数、のサービスクラスに分類し、前記要求条件に含まれる要求帯域に基づき、前記第１の領域を（Ｎ−１）個の時間シンボル位置で分割することで、前記第１の領域をＮ個のサービスクラスそれぞれに対応するＮ個のサブ領域に分割する分割ステップと、
前記第１の通信装置が、前記第２の通信装置から受信する前記要求帯域に基づき、各サブ領域において当該第２の通信装置が使用するリソースを、サブ領域のリソースの割り当て順序に従い連続して割り当てる割り当てステップと、
前記割り当てステップで割り当てた第２の通信装置が使用するリソースを、当該第２の通信装置に通知する通知ステップと、
を含み、
前記第１の通信装置は、第２の通信装置がサブ領域において使用するリソースを、前記割り当て順序に従い連続して当該第２の通信装置に割り当てたリソースの最初のリソースと、最後のリソースを通知することにより通知することを特徴とする帯域割り当て方法。
【発明の詳細な説明】
【技術分野】
【０００１】
本発明は、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を使用する通信システムにおける帯域割り当て技術に関する。
【背景技術】
【０００２】
直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式や直交周波数分割多元接続（ＯＦＤＭＡ）方式は、有線・無線分野において、高速データに適した方式として活発に研究されている。近年、ＯＦＤＭＡ方式において、ＱｏＳ（Ｑｕａｌｉｔｙ  ｏｆ  Ｓｅｒｖｉｃｅ）を考慮した帯域割り当ての取り組みが行われている。ＱｏＳとは、ネットワーク上で、通信毎に優先度を設定し、伝送品質を保証する機能である。ＱｏＳにおける主要なパラメータは、遅延時間、遅延時間の揺らぎ（ジッタ）、最低保証帯域等である。
【０００３】
特許文献１及び２は，ＯＦＤＭＡを利用する無線通信システムにおいて、上り方向、つまり、端末から基地局へのＱｏＳを考慮した帯域割り当てを開示している。また、非特許文献１は、ＯＦＤＭＡを使用する光アクセスシステムにおいて、上り方向、つまり、加入者ユニット（ＯＮＵ：Ｏｐｔｉｃａｌ  Ｎｅｔｗｏｒｋ  Ｕｎｉｔ）から局側光終端装置（ＯＬＴ：Ｏｐｔｉｃａｌ  Ｌｉｎｅ  Ｔｅｒｍｉｎａｌ）へのＱｏＳを考慮した帯域割り当てを開示している。
【先行技術文献】
【特許文献】
【０００４】
【特許文献１】特開２０１１−７１８９９号公報
【特許文献２】特開２０１１−１０１３１４号公報
【非特許文献】
【０００５】
【非特許文献１】Ｗ．Ｙｏｕ，  ｅｔ  ａｌ．，"Ｕｐｓｔｒｅａｍ  Ｂａｎｄｗｉｄｔｈ  Ａｌｌｏｃａｔｉｏｎ  Ｓｕｐｐｏｒｔｉｎｇ  Ｄｉｆｆｅｒｅｎｔｉａｔｅｄ  Ｓｅｒｖｉｃｅｓ  ｉｎ  ＯＦＤＭＡ  ＰＯＮｓ"，ＯＥＣＣ２０１２、Ｐａｐｅｒ  ４Ａ３−５，２０１２年
【発明の概要】
【発明が解決しようとする課題】
【０００６】
ＯＦＤＭＡ方式においては、フレームのサブキャリアの番号及び時間シンボル位置の組み合わせで特定されるリソースを単位として帯域の割り当てが行われる。ここで、帯域割り当てを効率的に行うためには、割り当てた帯域の通知を効率的に行うことが必要である。また、フレームのリソース位置も、ＱｏＳと密接に関係し得る。
【０００７】
本発明は、上記問題に鑑み、効率的に帯域を割り当てる通信装置及び帯域割り当て方法を提供するものである。
【課題を解決するための手段】
【０００８】
本発明の一側面によると、第１の通信装置が、複数の第２の通信装置と通信し、前記複数の第２の通信装置から前記第１の通信装置への方向である上り方向においては直交周波数分割多元接続を使用する通信システムにおける前記第１の通信装置であって、前記上り方向のフレームは、サブキャリアの番号及び時間シンボル位置の組み合わせで特定される複数のリソースを含み、かつ、連続するサブキャリアで構成される第１の領域と、前記複数の第２の通信装置が前記第１の通信装置に送信するサービス毎の帯域割り当て要求を搬送するためのサブキャリアで構成される第２の領域を含み、前記第１の通信装置は、前記複数の第２の通信装置から受信する前記サービス毎の帯域割り当て要求に含まれる要求条件に基づき各サービスを、Ｎ個、ここでＮは２以上の整数、のサービスクラスに分類し、前記要求条件に含まれる要求帯域に基づき、前記第１の領域を（Ｎ−１）個の時間シンボル位置で分割することで、前記第１の領域をＮ個のサービスクラスそれぞれに対応するＮ個のサブ領域に分割する分割手段と、前記第２の通信装置から受信する前記要求帯域に基づき、各サブ領域において当該第２の通信装置が使用するリソースを、サブ領域のリソースの割り当て順序に従い連続して割り当てる割り当て手段と、前記割り当て手段が割り当てた第２の通信装置が使用するリソースを、当該第２の通信装置に通知する通知手段と、を備えており、前記通知手段は、第２の通信装置がサブ領域において使用するリソースを、前記割り当て順序に従い連続して当該第２の通信装置に割り当てたリソースの最初のリソースと、最後のリソースを通知することにより通知することを特徴とする。
【発明の効果】
【０００９】
効率的に帯域を割り当てることが可能になる。
【図面の簡単な説明】
【００１０】
【図１】一実施形態による通信システムの概略的な構成図。
【図２】一実施形態による上りフレームの構成図。
【図３】一実施形態による上りフレームの構成図。
【図４】一実施形態による上りフレームの構成図。
【図５】一実施形態による上りフレームの構成図。
【図６】一実施形態による上りフレームの構成図。
【図７】一実施形態によるＯＬＴの構成図。
【発明を実施するための形態】
【００１１】
以下、本発明の例示的な実施形態について図面を参照して説明する。なお、以下の各図においては、実施形態の説明に必要ではない構成要素については図から省略する。
【００１２】
＜第一実施形態＞
図１は、本実施形態の説明に使用する通信システムであるＰＯＮ（Ｐａｓｓｉｖｅ  Ｏｐｔｉｃａｌ  Ｎｅｔｗｏｒｋ）の概略的な構成図である。図１において、ＯＬＴ１は、幹線光ファイバ２、光カプラ３及び分岐光ファイバ４を介して複数のＯＮＵ５と通信する。また、上り方向であるＯＮＵ５からＯＬＴ１への通信には、ＯＦＤＭＡが使用されている。
【００１３】
なお、図１に示すＰＯＮにより本実施形態の説明を行うが、本発明は、複数の通信装置が１つの通信装置と通信し、複数の通信装置から１つの通信装置への通信にＯＦＤＭＡを使用する任意の通信システムに適用できる。具体的には、１つの基地局と、複数の端末が無線により通信し、複数の端末から基地局への通信にＯＦＤＭＡを使用する無線システムにも適用が可能である。
【００１４】
図２は、ＯＬＴ１が受信するＯＦＤＭのフレーム構成を示している。本実施形態において、１フレームを、連続するサブキャリアで構成されるデータ領域１０（第１の領域）と、帯域要求領域２０（第２の領域）に分割し、帯域要求領域２０の各サブキャリアをそれぞれ１つのＯＮＵ５に割り当てる。図２においては、帯域要求領域２０のｎ個のサブキャリア２０−１〜２０−ｎを、ｎ個のＯＮＵ５それぞれに割り当てている。
【００１５】
各ＯＮＵ５は、サービス毎の送信データが生じると、要求条件を含む帯域割り当て要求を割り当てられた帯域要求領域２０のサブキャリアを使用して送信する。なお、要求条件には、送信データが属するサービスについての、要求帯域、遅延許容量、ジッタ許容量、最低保証帯域、データ転送周期、最小継続期間、データ量の変動の有無の内の、１つ又は複数の情報が含まれている。ＯＬＴ１は、所定の処理間隔内に各ＯＮＵ５から受信した要求条件に基づき、各ＯＮＵ５に割り当てるリソース量、つまり、帯域を計算する。なお、このとき、ＯＬＴ１は、図２に示す上りフレームのデータ領域１０において、各ＯＮＵ５に割り当てるリソースの位置も決定する。その後、ＯＬＴ１は、各ＯＮＵ５に、上りフレームにおいて当該ＯＮＵ５が使用するデータ領域１０内のリソース位置を通知し、各ＯＮＵ５は、通知されたリソースを使用してデータを送信する。
【００１６】
ここで、本実施形態のＯＬＴ１は、図３に示す様に、ＯＮＵ５から受信する、サービスについての要求条件に基づき、各サービスを３つのサービスクラスに分類する。ここで、第１の優先サービスクラスは、要求条件に、要求帯域、最低保証帯域、並びに、遅延及び／又はジッタの許容量が含まれるサービスである。また、第２の優先サービスクラスは、要求条件に、要求帯域及び最低保証帯域が含まれるサービスである。さらに、非優先サービスクラスは、要求条件に、要求帯域が含まれるサービスである。
【００１７】
ＯＬＴ１は、要求条件に基づき、図３に示す様に、データ領域１０を、第１の優先サービスクラス、第２の優先サービスクラス、非優先サービスクラスのそれぞれに対応する３つのサブ領域に分割する。なお、サブ領域への分割は２つの時間シンボル位置で行い、よって、各サブ領域は連続する所定範囲の時間シンボルを含む、周波数―時間領域上での四角形となる。また、図３に示す様に、第１の優先サービスクラスに対応するサブ領域１０−１を時間的に最も早い位置に配置し、続いて、第２の優先サービスクラスに対応するサブ領域１０−２を配置し、非優先サービスクラスに対応するサブ領域１０−３を時間的に最も遅い位置に配置する。以上の様に配置することで、遅延又はジッタの許容量が設定される第１の優先サービスクラスに属するサービスに生じる遅延量、ジッタ量を削減することができる。
【００１８】
続いて、各ＯＮＵ５からの要求条件に基づき、ＯＬＴ１が上りフレームのデータ領域１０を図３に示す様に３つのサブ領域１０−１、１０−２、１０−３に分割する方法例について説明する。なお、以下の説明では、サブ領域１０−１、１０−２、１０−３のリソース量、つまり、大きさをＡ１、Ａ２、Ａ３とし、ＯＮＵ５の数をｎとし、ＯＮＵ＃ｉ（ｉは１〜ｎの整数）が要求する第１の優先サービスクラスに属するサービス、第２の優先サービスクラスに属するサービス及び非優先サービスクラスに属するサービスの要求帯域をそれぞれＬ１i、Ｌ２i及びＬ３iとする。以下の式は、ｎ台のＯＮＵが要求する帯域を行列で表したものである。
【００１９】
【数１】
2014187655.tif 000003
【００２０】
また、ＯＮＵ＃iが要求する第１の優先サービスクラスに属するサービス及び第２の優先サービスクラスに属するサービスの最低保証帯域をＭ１i及びＭ２iとする。以下の式は、ｎ台のＯＮＵが要求する最低保証帯域を行列で表したものである。
【００２１】
【数２】
2014187655.tif 000004
【００２２】
１フレームのデータ領域１０の大きさをＢとし、ＯＬＴ１は、下記式によりＲを求める。
【００２３】
【数３】
2014187655.tif 000005
【００２４】
ＯＬＴ１は、第１の優先サービスクラス、第２の優先サービスクラス及び非優先サービスクラスの重みをそれぞれＰ１、Ｐ２、Ｐ３とし、サブ領域１０−１、１０−２、１０−３の大きさＡ１、Ａ２、Ａ３を以下の式により求める。なお、Ｐ１、Ｐ２、Ｐ３の大小関係は、例えば、Ｐ１＞Ｐ２＞Ｐ３とすることができる。
【００２５】
【数４】
2014187655.tif 000006
【００２６】
以上の通り、最低保証帯域を確保した上で、残りをサービスの重みを考慮して分割することで、第１の優先サービスクラスと第２の優先サービスクラスに属するサービスの最低保証帯域の要求を満たすことが可能になる。
【００２７】
続いて、ＯＬＴ１は、サブ領域１０−１、１０−２、１０−３のそれぞれにおいて、各ＯＮＵ５に割り当てる帯域を以下の式により求める。
【００２８】
【数５】
2014187655.tif 000007
【００２９】
なお、上記式においてｊ＝１〜３であり、それぞれ、サブ領域１０−１、１０−２、１０−３に対応し、ｉ＝１〜ｎでありＯＮＵ５の番号に対応する。ＯＬＴ１は、各サブ領域について、あらかじめ決めたリソースの割り当て順序に従い、各サブ領域１０−１、１０−２、１０−３において各ＯＮＵ５が使用するリソースを決定する。ここで、本実施形態において、リソースの割り当て順序は、サブ領域の時間シンボル位置が早いものほど、その順序が早く、同じ時間シンボル位置内においては、サブキャリアの番号の降順又は昇順とする。例えば、図４においては、割り当て方向として矢印で示す順にサブキャリアを使用し、最後のサブキャリアになると、次の時間シンボル位置の最初のサブキャリアから割り当ててゆく。そして、本実施形態においては、１つのＯＮＵには、リソースの割り当て順序に従い連続するリソースを割り当てる。この様に割り当てることで、ＯＬＴ１は、ＯＮＵ５には最初のリソース位置と、最後のリソース位置を通知するのみで、ＯＮＵ５に使用すべき領域を通知することができ、ＯＬＴ１が送信する帯域割り当て情報を削減することができる。例えば、図４においては、ＯＮＵ＃１に対しては、リソース８０とリソース８１のみを通知すれば良い。
【００３０】
以上、リソースの割り当て順序に従い各サブ領域においてリソースを割り当てることで割り当てた帯域のＯＮＵ５への通知を効率的に行うことができる。また、遅延及びジッタの許容量が設定されたサービスには、フレーム内の時間的に早い位置のリソースを割り当てることで、遅延及びジッタを抑えることができる。なお、上記実施形態では、３つのサービスクラスとしたが、例えば、遅延及びジッタの許容量を考慮する必要が無い場合には、最低保証帯域の有無に応じて２つのサービスクラスに分類する形態とすることもできる。さらに、必要なＱｏＳに従い４つ以上のサービスクラスを設けることができる。例えば、サービスクラスをＮ個とすると、ＯＬＴ１は、データ領域１０を、Ｎ−１個の時間シンボル位置においてＮ個のサブ領域に分割する。
【００３１】
＜第二実施形態＞
続いて、第二実施形態について、第一実施形態との相違点を中心に説明する。本実施形態では、要求条件に、要求帯域、最低保証帯域、並びに、遅延及び／又はジッタの許容量が含まれるサービスの内、その遅延及び／又はジッタの許容量が閾値以上であるものを第一実施形態と同じ第１の優先サービスクラスに分類し、遅延及び／又はジッタの許容量が閾値未満であるものを第３の優先サービスクラスに分類する。つまり、遅延及び／又はジッタの条件がより厳しいものについては、第３の優先サービスクラスに分類する。
【００３２】
また、ＯＬＴ１は、上りフレームから帯域要求領域２０に割り当てたサブキャリアを除いた領域から、さらに、第３の優先サービスクラスに割り当てるサブキャリアを決定し、これを専用割り当て領域３０（第３の領域）とし、上りフレームの帯域要求領域２０及び専用割り当て領域３０以外の領域を第一実施形態におけるデータ領域１０とする。図５は、上りフレームを、帯域要求領域２０と、データ領域１０と、専用割り当て領域３０に分割した様子を示している。本実施形態において、データ領域１０のリソースの割り当ては、第一実施形態と同様であるため、その説明は省略する。但し、本実施形態においては、データ領域１０で使用するサブキャリアの範囲が、専用割り当て領域３０に割り当てるサブキャリア数に応じて変動するため、ＯＬＴ１は、データ領域１０の両端のサブキャリア８３及び８４の番号をＯＮＵ５に通知する。
【００３３】
ＯＬＴ１は、第３の優先サービスクラスに属するサービスに対しては、図５に示す様に、１つのＯＮＵ５に対して１つのサブキャリアを割り当てることができる。また、ＯＬＴ１は、１つのサブキャリアを複数のＯＮＵ５で共用させることもできる。なお、１つのサブキャリアを複数のＯＮＵ５に共用させる場合には、ＯＮＵ５が送信できるタイミングをＯＬＴ１はＯＮＵ５に通知する。なお、この割り当ては、ＯＮＵ５が送信する帯域割り当て要求に含まれる最小継続期間に基づき、複数フレーム単位で行うことができる。この構成により、ＯＬＴ１の帯域割り当ての演算に伴う遅延を抑え、ＯＮＵ５は、送信すべきデータが生じた段階でデータを送信できることになる。
【００３４】
＜第三実施形態＞
続いて、第三実施形態について、第一実施形態との相違点を中心に説明する。本実施形態では、要求条件に、要求帯域、最低保証帯域、遅延及び／又はジッタの許容量、並びに、固定量のデータのデータ転送周期が含まれるサービス、つまり、データ転送が固定の周期で行われ、各周期のデータ量に変動が無いサービスを第４の優先サービスクラスに分類し、要求条件に、要求帯域、最低保証帯域、並びに、遅延及び／又はジッタの許容量が含まれるが、データ転送周期が含まれない又はデータ量の変動が有るサービスを第一実施形態と同じ第１の優先サービスクラスに分類する。
【００３５】
また、ＯＬＴ１は、上りフレームから帯域要求領域２０に割り当てたサブキャリア除いた領域から、さらに、第４の優先サービスクラスに割り当てるサブキャリアを決定し、これを固定レート領域４０（第４の領域）とし、上りフレームの帯域要求領域２０及び固定レート領域４０以外の領域を第一実施形態におけるデータ領域１０とする。図６は、上りフレームを、帯域要求領域２０と、データ領域１０と、固定レート領域４０に分割した様子を示している。本実施形態において、データ領域１０のリソースの割り当ては、第一実施形態と同様であるため、その説明は省略する。但し、本実施形態においても、第二実施形態と同様に、データ領域１０で使用するサブキャリアの範囲が、固定レート領域４０に割り当てるサブキャリア数に応じて変動するため、ＯＬＴ１は、データ領域１０の両端のサブキャリアの番号をＯＮＵ５に通知する。
【００３６】
また、ＯＬＴ１は、第４の優先サービスクラスに属するサービスのデータ量とその周期に応じて各ＯＮＵ５が使用する固定レート領域４０のサブキャリアとその送信タイミングを決定してＯＮＵ５に通知する。なお、その際、ＯＬＴ１は、ＯＮＵ５が要求する遅延許容量とジッタ許容量を考慮して各ＯＮＵ５が使用する固定レート領域４０のサブキャリアとその送信タイミングを決定する。
【００３７】
例えば、図６に示す様に、ＯＮＵ＃１に符号５０で示すリソースを割り当てたものとする。また、ＯＮＵ＃２の帯域割り当て要求のデータの周期から、ＯＮＵ＃２が要求するサービスには、符号６０、６１、６２で示す時間位置にリソースを割り当てなければならないものとする。なお、図６において、符号６１、６２で示すリソースは、図を見やすくするためにデータ領域１０内に描かれているが、実際には、リソース６１、６２のサブキャリアの位置は、固定レート領域４０内にある。図６に示す通り、リソース６１及び６２は、既にＯＮＵ＃１に割り当てられており、ＯＮＵ＃２に割り当てることができない。しかしながら、ＯＮＵ＃２にリソース６０、６１、６２を割り当てるためだけに新たなサブキャリアを固定レート領域４０とすると、リソースの使用効率が悪くなる。
【００３８】
この場合、例えば、ＯＬＴ１は、リソース６１の代わりにリソース６３を、さらに、リソース６２の代わりにリソース６４をＯＮＵ＃２に割り当ててもＯＮＵ２が要求する遅延許容量及び／又はジッタ許容量を満たすかを判定し、満たす場合には、図６に示す様に、ＯＮＵ２にリソース６０、６３、６４を割り当てる。この構成により、固定レート領域４０の使用効率を高めることができる。なお、本実施形態でも、固定レート領域４０への割り当ては、ＯＮＵ５が送信する帯域割り当て要求に含まれる最小継続期間に基づき、複数フレーム単位で行うことができる。この構成により、ＯＬＴ１の帯域割り当ての演算に伴う遅延を抑え、ＯＮＵ５は、周期的にデータを送信できることになる。
【００３９】
なお、第二実施形態と第三実施形態を組み合わせることもできる。この場合、専用割り当て領域３０は、例えば、フレームのサブキャリアの降順で、固定レート領域４０は、第一実施形態におけるデータ領域１０の最も若いサブキャリアから昇順で確保することができる。また、降順と昇順は逆であっても良い。さらに、専用割り当て領域３０と固定レート領域４０とを隣接するサブキャリアに設けることもできる。さらに、データ領域１０のサブキャリアが分断されず連続していれば良いため、専用割り当て領域３０と固定レート領域４０を１つの連続するサブキャリアで構成される領域として、この１つの領域の各サブキャリアを、専用割り当て領域３０と固定レート領域４０のいずれかに割り当てることもできる。
【００４０】
図７は、上記各実施形態によるＯＬＴ１の概略的な構成図である。要求受信部１１は、各ＯＮＵ５から帯域割り当て要求を受信する。分割部１２は、データ領域１０のサブ領域への分割、専用割り当て領域３０や、固定レート領域４０の確保を行う。また、割当部１３は、各領域のリソースのＯＮＵ５への割り当てを行う。通知部４０は、ＯＮＵ５に割り当てたリソース位置を当該ＯＮＵ５に通知する。
【図１】
2014187655.tif 000008
【図２】
2014187655.tif 000009
【図３】
2014187655.tif 000010
【図４】
2014187655.tif 000011
【図５】
2014187655.tif 000012
【図６】
2014187655.tif 000013
【図７】
2014187655.tif 000014